(57)【要約】      （修正有）【課題】送風機によって送風される空気に薬剤を混合しやすくして薬剤を広範囲に効率良く行き渡らせる送風機用薬剤放散器の提供。【解決手段】放散器本体３には、送風された空気の流れを曲げてから薬剤保持体２へ向ける空気案内壁部３２、３３と、薬剤保持体２を通過した空気を排出する排出孔３１とが設けられており、放散器本体３の縁部が中央ガード板１０３の縁部から全周に亘って外方へ突出するように形成されている送風器用薬剤放散器１。【選択図】図５
2018051186.tif 000002
【特許請求の範囲】
【請求項１】
送風機によって送風された空気に薬剤を放散する送風機用薬剤放散器において、
常温で揮発する上記薬剤を保持するとともに、通気性を有する薬剤保持体と、
上記薬剤保持体が取り付けられる放散器本体とを備え、
上記放散器本体には、上記送風機によって送風された空気の流れを曲げてから上記薬剤保持体へ向ける空気案内壁部と、上記薬剤保持体を通過した空気を排出する排出孔とが設けられていることを特徴とする送風機用薬剤放散器。
【請求項２】
請求項１に記載の送風機用薬剤放散器において、
上記放散器本体は上記送風機によって送風された空気の流れ方向に対して交差する方向に延びる形状とされ、
上記排出孔は、上記放散器本体の中央部に設けられ、
上記空気案内壁部は、上記放散器本体の縁部から上記排出孔へ向けて延びるように設けられていることを特徴とする送風機用薬剤放散器。
【請求項３】
請求項２に記載の送風機用薬剤放散器において、
上記放散器本体は、上記送風機が有するファンの回転中心部を空気流れ方向下流側から覆う中央ガード板の下流側に重なるように設けられた状態で、該放散器本体の縁部が上記中央ガード板の縁部から外方へ突出するように形成されていることを特徴とする送風機用薬剤放散器。
【請求項４】
請求項３に記載の送風機用薬剤放散器において、
上記放散器本体は、上記中央ガード板との間に、上記送風機によって送風された空気が流れる空気流路を形成するように構成されていることを特徴とする送風機用薬剤放散器。
【請求項５】
請求項３に記載の送風機用薬剤放散器において、
上記送風機用薬剤放散器は、上記送風機によって送風された空気が流れる空気流路を上記放散器本体との間に形成する流路形成板部を備えていることを特徴とする送風機用薬剤放散器。
【請求項６】
請求項２から５のいずれか１つに記載の送風機用薬剤放散器において、
上記放散器本体は、送風された空気の流れ方向に対して交差する所定方向に長い形状とされ、
上記排出孔は、上記放散器本体の長手方向中央部に設けられ、
上記放散器本体には、該放散器本体の長手方向一縁部から上記排出孔へ向けて延びる第１空気案内壁部と、該放散器本体の長手方向他縁部から上記排出孔へ向けて延びる第２空気案内壁部とが設けられていることを特徴とする送風機用薬剤放散器。
【請求項７】
請求項３から５のいずれか１つに記載の送風機用薬剤放散器において、
上記放散器本体の縁部が上記中央ガード板の縁部から全周に亘って外方へ突出するように形成されていることを特徴とする送風機用薬剤放散器。
【発明の詳細な説明】
【技術分野】
【０００１】
本発明は、例えば扇風機等の送風機に取り付けられて使用される送風機用薬剤放散器に関し、特に送風機によって送風される空気に薬剤を放散する技術分野に属する。
【背景技術】
【０００２】
従来より、扇風機によって送風される空気に薬剤を放散して薬剤の持つ効果を得ることが行われている。特許文献１には、扇風機の羽根の前方側を囲む前ガードの構造として、その中心部に設けられている飾り銘板を構成している前壁部及び後壁部にそれぞれ通気孔を形成するとともに、飾り銘板の内部に芳香剤が収容される芳香剤収容空間を形成する構造が開示されている。特許文献１では、羽根によって送風された空気が銘板の通気孔から芳香剤収容空間に導入された後、外部に排出されるようになっている。
【０００３】
また、特許文献２には、芳香剤が収容された芳香発生箱を扇風機の前ガードに取り付ける構造が開示されている。芳香発生箱の前壁部及び後壁部には多数の小孔が形成されており、羽根によって送風された空気が後壁部の小孔から芳香発生箱の内部に導入された後、前壁部の小孔から排出されるようになっている。
【先行技術文献】
【特許文献】
【０００４】
【特許文献１】実開昭６２−１８８５９２号公報
【特許文献２】実開平４−５７６９８号公報
【発明の概要】
【発明が解決しようとする課題】
【０００５】
ところで、特許文献１では、銘板を構成している前壁部及び後壁部にそれぞれ通気孔を形成し、羽根によって送風された空気がこれら通気孔を通るようになっている。前壁部及び後壁部は空気の流れ方向から見たときに互いに重複する位置関係にあるので、各壁部に形成されている通気孔を通過した空気はそのまま下流側へ流れていくことになり、銘板よりも外側へ向けては殆ど流れないと考えられる。このため、薬剤は、羽根によって送風された空気のうち、銘板よりも外側を流れる空気には混合し難く、その結果、薬剤が広範囲に行き渡り難くなる。
【０００６】
また、特許文献２のものも芳香発生箱を構成している前壁部及び後壁部にそれぞれ形成された小孔を空気が通るようになっており、前壁部及び後壁部は空気の流れ方向から見たときに互いに重複する位置関係にある。従って、薬剤は、羽根によって送風された空気のうち、芳香発生箱よりも外側を流れる空気には混合し難く、その結果、薬剤が広範囲に行き渡り難くなる。
【０００７】
本発明は、かかる点に鑑みてなされたものであり、その目的とするところは、送風機によって送風される空気に薬剤を混合しやすくして薬剤を広範囲に効率良く行き渡らせることにある。
【課題を解決するための手段】
【０００８】
上記目的を達成するために、本発明では、送風機によって送風された空気の流れを積極的に曲げてから薬剤保持体へ向けて流すようにし、薬剤保持体を通過した空気を送風機の送風方向下流側へ流すようにした。
【０００９】
第１の発明は、送風機によって送風された空気に薬剤を放散する送風機用薬剤放散器において、常温で揮発する上記薬剤を保持するとともに、通気性を有する薬剤保持体と、上記薬剤保持体が取り付けられる放散器本体とを備え、上記放散器本体には、上記送風機によって送風された空気の流れを曲げてから上記薬剤保持体へ向ける空気案内壁部と、上記薬剤保持体を通過した空気を排出する排出孔とが設けられていることを特徴とする。
【００１０】
この構成によれば、送風機によって送風された空気の流れが放散器本体の空気案内壁部によって曲げられてから薬剤保持体に向かって流れるようになる。そして、空気が薬剤保持体を通過するときに該薬剤保持体に保持されている薬剤が空気に混合する。薬剤が混合した空気は排出孔から排出される。このとき、上流側で空気案内壁部によって空気の流れが曲げられているので、排出される空気の流れは乱れており、送風機による空気の流れ方向に対して交差する方向に向けて排出され、これにより、送風機によって送風される空気に薬剤が混合しやすくなる。
【００１１】
第２の発明は、第１の発明において、上記放散器本体は上記送風機によって送風された空気の流れ方向に対して交差する方向に延びる形状とされ、上記排出孔は、上記放散器本体の中央部に設けられ、上記空気案内壁部は、上記放散器本体の縁部から上記排出孔へ向けて延びるように設けられていることを特徴とする。
【００１２】
この構成によれば、送風機によって送風された空気は、放散器本体の縁部から該放散器本体の中央部に開口する排出孔へ向けて案内されることになる。このとき、放散器本体は空気の流れ方向に対して交差する方向に延びているので、空気の流れが急に曲げられることになる。これにより、薬剤が混合した空気を、送風機による空気の流れ方向に対して交差する方向に向けて排出することが可能になる。
【００１３】
第３の発明は、第２の発明において、上記放散器本体は、上記送風機が有するファンの回転中心部を空気流れ方向下流側から覆う中央ガード板の下流側に重なるように設けられた状態で、該放散器本体の縁部が上記中央ガード板の縁部から外方へ突出するように形成されていることを特徴とする。
【００１４】
すなわち、送風機のファンの回転中心部は風速が低い部分であり、この部分に対応するように該送風機に中央ガード板が設けられることがある。この場合に、放散器本体を、中央ガード板の下流側に重なるように設けることで、放散器本体がファンの送風に殆ど影響を与えないようにすることが可能になる。そして、放散器本体の縁部が中央ガード板の縁部から外方へ突出しているので、送風機によって送風された空気が中央ガード板の外方から空気案内壁部へ向けて確実に流れるようになる。
【００１５】
第４の発明は、第３の発明において、上記放散器本体は、上記中央ガード板との間に、上記送風機によって送風された空気が流れる空気流路を形成するように構成されていることを特徴とする。
【００１６】
この構成によれば、放散器本体が中央ガード板の下流側に重なるように設けられた状態で、放散器本体と中央ガード板との間に送風機によって送風された空気を流すための空気流路が形成される。つまり、送風機の中央ガード板を利用して空気流路の形成が可能になるので、放散器本体を中空構造にせずに済み、放散器本体の構成がシンプルになる。
【００１７】
第５の発明は、第３の発明において、上記送風機用薬剤放散器は、上記送風機によって送風された空気が流れる空気流路を上記放散器本体との間に形成する流路形成板部を備えていることを特徴とする。
【００１８】
この構成によれば、送風機によって送風された空気が、放散器本体と流路形成板部との間の空気流路を流れて排出孔まで確実に案内される。
【００１９】
第６の発明は、第２から５のいずれか１つの発明において、上記放散器本体は、送風された空気の流れ方向に対して交差する所定方向に長い形状とされ、上記排出孔は、上記放散器本体の長手方向中央部に設けられ、上記放散器本体には、該放散器本体の長手方向一縁部から上記排出孔へ向けて延びる第１空気案内壁部と、該放散器本体の長手方向他縁部から上記排出孔へ向けて延びる第２空気案内壁部とが設けられていることを特徴とする。
【００２０】
この構成によれば、送風機によって送風された空気が放散器本体の長手方向一縁部から排出孔へ向けて案内され、また、放散器本体の長手方向他縁部から排出孔へ向けて案内される。これにより、空気が互いに異なる二方向から排出孔へ向かって流れて衝突するので、空気の流れがより一層乱れる。従って、送風機によって送風される空気に薬剤が混合しやすくなる。
【００２１】
第７の発明は、第３から５のいずれか１つの発明において、上記放散器本体の縁部が上記中央ガード板の縁部から全周に亘って外方へ突出するように形成されていることを特徴とする。
【００２２】
この構成によれば、送風機によって送風された空気が全周から排出孔へ向けて流れることになる。これにより、空気が互いに異なる多くの方向から排出孔へ向かって流れて衝突するので、空気の流れがより一層乱れる。従って、送風機によって送風される空気に薬剤が混合しやすくなる。
【発明の効果】
【００２３】
第１の発明によれば、送風機によって送風された空気の流れを曲げてから薬剤保持体へ向けるようにしたので、放散器本体から排出される空気の流れを乱すことができ、送風機による空気の流れ方向に対して交差する方向に向けて排出することができる。これにより、送風機によって送風される空気に薬剤が混合しやすくなり、薬剤を広範囲に効率良く行き渡らせることができる。
【００２４】
第２の発明によれば、放散器本体が送風機によって送風された空気の流れ方向に対して交差する方向に延びる形状とされ、この放散器本体の中央部に排出孔が設けられ、空気案内壁部は、放散器本体の縁部から排出孔へ向けて延びるように設けられているので、薬剤が混合した空気を、送風機による空気の流れ方向に対して交差する方向に向けて確実に排出することができる。
【００２５】
第３の発明によれば、送風機の中央ガード板の下流側に重なるように放散器本体を設けることで、放散器本体がファンの送風に殆ど影響を与えないように配置できる。そして、放散器本体の縁部が中央板の縁部から外方へ突出しているので、送風機によって送風された空気を空気案内壁部へ向けて確実に流すことができる。
【００２６】
第４の発明によれば、送風機の中央ガード板との間に空気流路を形成することができるので、放散器本体の構成をシンプルにすることができる。
【００２７】
第５の発明によれば、空気流路を放散器本体と流路形成板部との間に形成することができるので、送風機によって送風された空気を排出孔まで確実に案内することができる。
【００２８】
第６の発明によれば、排出孔を放散器本体の長手方向中央部に設け、放散器本体の長手方向一縁部から排出孔へ向けて延びる第１空気案内壁部と、長手方向他縁部から排出孔へ向けて延びる第２空気案内壁部とを放散器本体に設けたので、空気が互いに異なる二方向から排出孔へ向かって流れて衝突する。これにより、空気の流れがより一層乱れるので、空気への薬剤の混合性を良好にすることができる。
【００２９】
第７の発明によれば、放散器本体の縁部が中央ガード板の縁部から全周に亘って外方へ突出しているので、空気が互いに異なる多くの方向から排出孔へ向かって流れて衝突する。これにより、空気の流れがより一層乱れるので、空気への薬剤の混合性を良好にすることができる。
【図面の簡単な説明】
【００３０】
【図１】実施形態１に係る送風機用薬剤放散器を扇風機に取り付けて使用する場合を示す正面図である。
【図２】送風機用薬剤放散器の正面図である。
【図３】送風機用薬剤放散器の底面図である。
【図４】送風機用薬剤放散器の背面図である。
【図５】図２におけるV−V線断面図である。
【図６】送風機用薬剤放散器の右側面図である。
【図７】送風機用薬剤放散器を正面側から見た斜視図である。
【図８】送風機用薬剤放散器を背面図側から見た斜視図である。
【図９】送風機用薬剤放散器の別の使用例を示す図１相当図である。
【図１０】実施形態１の変形例に係る図５相当図である。
【図１１】実施形態２に係る図１相当図である。
【図１２】実施形態２に係る図２相当図である。
【図１３】実施形態２に係る図３相当図である。
【図１４】実施形態２に係る図４相当図である。
【図１５】図１２におけるXV−XV線相当図である。
【図１６】実施形態２に係る図７相当図である。
【図１７】実施形態２に係る図８相当図である。
【図１８】実施形態２の変形例に係る図１５相当図である。
【発明を実施するための形態】
【００３１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３２】
（実施形態１）
図１は、本発明の実施形態１に係る送風機用薬剤放散器１を扇風機（送風機）１００に取り付けて使用する場合を示す正面図である。送風機用薬剤放散器１が取り付けられる扇風機１００は、図示しないモーターによって回転駆動されるファン１０１と、ファン１０１を空気流れ方向下流側（前側）から覆う前側ガード１０２と、ファン１０１を空気流れ方向上流側（後側）から覆う後側ガード（図示せず）とを少なくとも備えている。前側ガード１０２は、中央ガード板１０３と、中央ガード板１０３の縁部から放射状に延びる多数の棒材１０４、１０４、…と、棒材１０４の先端部同士を連結するように略円形に延びる枠部１０５とを備えている。中央ガード板１０３は、ファン１０１の回転中心部を空気流れ方向下流側から覆うように配置されている。ファン１０１の回転中心部は、構造上、外周部に比べて風速が低い部分であり、この部分に対応するように中央ガード板１０３が設けられていることで、中央ガード板１０３がファン１０１の送風を阻害し難くなっている。詳細は後述するが、送風機用薬剤放散器１は図１に示すように前側ガード１０２に取り付けて使用される。
【００３３】
尚、送風機用薬剤放散器１は、扇風機１００以外の各種送風機に取り付けて使用することができる。送風機としては、例えばサーキュレータや空調装置等を挙げることができる。また、送風機用薬剤放散器１は屋内で使用するのが好ましいが、屋外で使用することも可能である。
【００３４】
（送風機用薬剤放散器の構成）
送風機用薬剤放散器１は、扇風機１００によって送風された空気に薬剤を放散するためのものであり、図２〜図５等に示すように、薬剤保持体２と、放散器本体３と、流路形成板部４とを備えている。薬剤保持体２は、常温（２０℃）で揮発する薬剤を保持するとともに、通気性を有する部材で構成されている。上記薬剤としては、例えば殺虫剤、害虫忌避剤、動物忌避剤、芳香剤、除菌剤、殺菌剤等の少なくとも１種からなる薬剤、またはこれらのうち任意の複数種を混合した薬剤等を挙げることができる。殺虫剤としては、例えばメトフルトリン、トランスフルトリン、エムペントリン、テラレスリン、プロフルトリン等を挙げることができるが、これに限られるものではなく、各種殺虫剤を使用することができる。また、植物精油（ペニーロイヤル油、レモングラス油、ヒバ油、ペパーミント油等）やその有効成分（プレゴン、シトラール、シトロネラール、ヒノキチオール、シネオール等）も忌避効能を発現するので好適に使用することができる。
【００３５】
薬剤保持体２は、例えば不織布等の布材やメッシュ材、ハニカム材、発泡材、プリーツ成形された布材、マット材、シート材等を使用することができ、好ましいのは不織布である。薬剤保持体２に薬剤を保持させる方法としては、薬剤が染み込む性質を有している場合には含浸させることができ、また、薬剤を染み込ませることなく単に付着させることによって保持させることもできる。
【００３６】
放散器本体３は、例えば樹脂材等を成形してなる板状部材で構成されており、扇風機１００によって送風された空気の流れ方向に対して交差する方向に延びる形状とされ、放散器本体３の中央部には、薬剤保持体２を通過した空気を排出するための排出孔３１が形成されている。放散器本体３には、排出孔３１を覆うように格子を設けることもできる。また、排出孔３１は複数形成してもよい。
【００３７】
放散器本体３は、送風された空気の流れ方向に対して交差する所定方向、即ち左右方向に長い形状とされている。放散器本体３の左縁部（長手方向一縁部）が扇風機１００の中央ガード板１０３の左縁部から外方へ突出するように形成され、また、放散器本体３の右縁部（長手方向他縁部）が扇風機１００の中央ガード板１０３の右縁部から外方へ突出するように形成されている。つまり、放散器本体３の左右方向の寸法は、扇風機１００の中央ガード板１０３の左右方向の寸法よりも長く設定されており、放散器本体３の左右両側が、中央ガード板１０３の左右両側から空気流れ上流側に臨むように配置されることになる。
【００３８】
尚、扇風機１００の中央ガード板１０３は殆どの場合、略円形であり、その外径は例えば８０ｍｍ〜１２０ｍｍの範囲にあることが多い。従って、放散器本体３の左右方向の寸法は、１２０ｍｍを超えるように、例えば１５０ｍｍ以上に設定しておくのが汎用性を高める上で好ましい。
【００３９】
上記排出孔３１は放散器本体３の長手方向中央部、かつ、上下方向中央部に設けられており、放散器本体３を厚み方向に貫通するように形成されている。排出孔３１は左右方向に長い形状とされている。
【００４０】
図５に示すように、放散器本体３には、扇風機１００によって送風された空気の流れを曲げてから薬剤保持体２へ向けるための左側空気案内壁部（第１空気案内壁部）３２と、右側空気案内壁部（第２空気案内壁部）３３とが設けられている。左側空気案内壁部３２は、放散器本体３の左縁部から排出孔３１へ向けて延びている。左側空気案内壁部３２の左側部分は、該左側空気案内壁部３２の左縁部へ近づくほど空気流れ方向上流側に位置するように湾曲形成された湾曲部である。左側空気案内壁部３２の右側部分は、排出孔３１へ向けて延びる部分であり、この実施形態では略平坦に形成されているが、緩やかに湾曲した形状であってもよい。尚、「空気流れ方向」とは、扇風機１００のファン１０１の回転によって送風された空気の流れ方向であり、扇風機１００の後から前へ向かう方向である。
【００４１】
また、右側空気案内壁部３３は、放散器本体３の右縁部から排出孔３１へ向けて延びている。右側空気案内壁部３３の右側部分は、該右側空気案内壁部３３の右縁部へ近づくほど空気流れ方向上流側に位置するように湾曲形成された湾曲部である。右側空気案内壁部３３の左側部分は、排出孔３１へ向けて延びる部分であり、この実施形態では略平坦に形成されているが、緩やかに湾曲した形状であってもよい。
【００４２】
図８等に示すように、左側空気案内壁部３２の左縁部には、扇風機１００の前側ガード１０２の棒材１０４を径方向に挟む一対の挟持片３２ａ、３２ａが空気流れ方向上流側へ突出するように形成されている。同様に、右側空気案内壁部３３の右縁部にも棒材１０４を径方向に挟む一対の挟持片３３ａ、３３ａが空気流れ方向上流側へ突出するように形成されている。挟持片３２ａ、３２ａの間、及び挟持片３３ａ、３３ａの間にそれぞれ棒材１０４を押し込むようにすることで、挟持片３２ａ、３２ａ及び挟持片３３ａ、３３ａが棒材１０４を挟み、これにより、送風機用薬剤放散器１が前側ガード１０２に対して着脱可能に取り付けられる。尚、送風機用薬剤放散器１の取付構造は上記した挟持片３２ａ、３２ａ及び挟持片３３ａ、３３ａによる構造に限られるものではなく、棒材１０４に係合する係合部等を用いた構造であってもよいし、送風機用薬剤放散器１を中央ガード板１０３に貼り付ける構造であってもよい。
【００４３】
図４等に示すように、放散器本体３の上部及び下部には、上壁部３４及び下壁部がそれぞれ形成されている。上壁部３４は、左側空気案内壁部３２の左縁部から右側空気案内壁部３３の右縁部まで連続して延びるとともに、放散器本体３の上部から空気流れ方向上流側へ突出している。下壁部３５も左側空気案内壁部３２の左縁部から右側空気案内壁部３３の右縁部まで連続して延びるとともに、放散器本体３の下部から空気流れ方向上流側へ突出している。上壁部３４及び下壁部３５は互いに略平行に延びている。上壁部３４及び下壁部３５により左側空気案内壁部３２と右側空気案内壁部３３とが連結されるので、放散器本体３の剛性が向上する。また、左側空気案内壁部３２及び右側空気案内壁部３３と、上壁部３４及び下壁部とにより、放散器本体３は空気流れ方向上流側に開放する凹形状になる。
【００４４】
図５に示すように、流路形成板部４は、扇風機１００によって送風された空気が流れる左側空気流路Ｒ１と、右側空気流路Ｒ２とを、放散器本体３との間に形成するためのものである。すなわち、流路形成板部４は、放散器本体３の排出孔３１から空気流れ方向上流側に離れて配置されて上下方向に延びるとともに、左右方向にも延びている。流路形成板部４の上縁部は、放散器本体３の上壁部３４と一体化されている。流路形成板部４の下縁部は、放散器本体３の下壁部３５と一体化されている。
【００４５】
また、流路形成板部４の左右方向の寸法は、放散器本体３の左右方向の寸法よりも短く設定されている。そして、流路形成板部４の左縁部は、放散器本体３の左側空気案内壁部３２の左縁部よりも右側に配置されており、流路形成板部４の左縁部と左側空気案内壁部３２の左縁部との間には、扇風機１００によって送風された空気が流入する隙間が形成されている。また、流路形成板部４の右縁部は、放散器本体３の右側空気案内壁部３３の右縁部よりも左側に配置されており、流路形成板部４の右縁部と左側空気案内壁部３２の右縁部との間にも、扇風機１００によって送風された空気が流入する隙間が形成されている。
【００４６】
放散器本体３と流路形成板部４との間において排出孔３１よりも左側には、上記左側空気流路Ｒ１が形成される。左側空気流路Ｒ１は、放散器本体３の左縁部から右側へ延びる流路である。一方、放散器本体３と流路形成板部４との間において排出孔３１よりも右側には、上記右側空気流路Ｒ２が形成される。右側空気流路Ｒ２は、放散器本体３の右縁部から左側へ延びる流路である。
【００４７】
また、放散器本体３における流路形成板部４側の面には、突条部３６が設けられている。突条部３６は、排出孔３１を囲む枠状に延びている。
【００４８】
薬剤保持体２の大きさは、突条部３６の外形よりも大きく設定されている。薬剤保持体２は、突条部３６と、突条部３６よりも外側の放散器本体３との少なくとも一方に対して全周に亘って固着されている。薬剤保持体２は、放散器本体３を構成している樹脂材に溶着するようにしてもよいし、接着剤等を用いて接着するようにしてもよい。
【００４９】
また、薬剤保持体２は交換可能にすることもできる。薬剤保持体２を交換可能にする場合には、図示しないが、例えば薬剤保持体２に枠を設け、この枠を放散器本体３に対して爪嵌合等によって取り付けておく。そして、交換時には古い薬剤保持体２の枠を取り外し、その後、新しい薬剤保持体２の枠を取り付けるようにすればよい。
【００５０】
（送風機用薬剤放散器の使用方法）
次に、送風機用薬剤放散器１の使用方法について説明する。送風機用薬剤放散器１は、図１に示すように、放散器本体３が扇風機１００の中央ガード板１０３の空気流れ方向下流側に重なるように配置された状態で前側ガード１０２に取り付けられる。このとき、放散器本体３を前側ガード１０２に押し付けるようにして、棒材１０４を挟持片３２ａ、３２ａの間、及び挟持片３３ａ、３３ａの間にそれぞれ押し込むようにする。これにより、送風機用薬剤放散器１が扇風機１００に取り付けられる。
【００５１】
そして、扇風機１００のファン１０２が回転して空気が送風されると、左側空気案内壁部３２が中央ガード板１０３よりも左側へ突出しているので、左側空気案内壁部３２と流路形成板部４との間の隙間に空気が入る。左側空気案内壁部３２と流路形成板部４との間の隙間に入った空気は、左側空気案内壁部３２の湾曲した部分によって右側へ案内される。これにより、空気の流れが曲がって薬剤保持体２へ向く流れとなる。一方、右側空気案内壁部３３が中央ガード板１０３よりも右側へ突出しているので、右側空気案内壁部３３と流路形成板部４との間の隙間にも空気が入る。右側空気案内壁部３３と流路形成板部４との間の隙間に入った空気は、右側空気案内壁部３３の湾曲した部分によって左側へ案内される。これにより、空気の流れが曲がって薬剤保持体２へ向く流れとなる。
【００５２】
左側空気案内壁部３２によって案内された空気は左側空気流路Ｒ１を右側へ向けて流れ、また、右側空気案内壁部３３によって案内された空気は右側空気流路Ｒ２を左側へ向けて流れる。これにより、左側空気案内壁部３２によって案内された空気と、右側空気案内壁部３３によって案内された空気とが衝突することになるので、空気の流れが乱れる。そして、空気が薬剤保持体２を通過する際に、薬剤保持体２に保持されている薬剤が空気に混合する。薬剤保持体２を通過した空気は、排出孔３１から排出される。
【００５３】
また、空気の流れが曲げられることにより、左側空気流路Ｒ１及び右側空気流路Ｒ２における空気の流速が低下する。これにより、薬剤保持体２を通過する単位時間当たりの空気量が減少するので、薬剤保持体２に保持されている薬剤が早期に無くなってしまうのを抑制することができる。薬剤保持体２を通過する空気量を増やしたい場合には、左側空気流路Ｒ１及び右側空気流路Ｒ２の断面積を広くしたり、左側空気案内壁部３２及び右側空気案内壁部３３の曲がりを緩やかにすればよい。また、左側空気流路Ｒ１及び右側空気流路Ｒ２の上流端の開口面積を調整することによっても薬剤保持体２を通過する空気量を変えることができる。
【００５４】
また、送風機用薬剤放散器１は正面視でその大部分が中央ガード板１０３と重複していて左右両縁部のみが中央ガード板１０３から突出しているので、送風機用薬剤放散器１を設けたことによる扇風機１００の送風量低下は僅かなものであり、使用上は何ら問題がない。
【００５５】
また、この実施形態では、流路形成板部４を設けたことで、ファン１０２によって送風された空気が一度曲がってから薬剤保持体２を通過することになり、該空気が薬剤保持体２に直接当たらないようにすることができる。これにより、薬剤保持体２に保持されている薬剤の単位時間当たりの放散量が多すぎないようにすることができ、薬剤保持体２の寿命を延ばすことができる。
【００５６】
尚、送風機用薬剤放散器１の扇風機１への取付位置は、図１に示す位置以外にも、例えば、図９に示す位置に取り付けるようにしてもよい。図９に示す位置では、送風機用薬剤放散器１が中央ガード板１０３から外れており、中央ガード板１０３と送風機用薬剤放散器１とが重複しないようになっている。
【００５７】
また、送風機用薬剤放散器１は、例えば放散器本体３の長手方向が上下方向となる姿勢で扇風機１に取り付けてもよいし、放散器本体３が傾斜した姿勢となるように扇風機１に取り付けてもよい。
【００５８】
（実施形態１の作用効果）
この実施形態１に係る送風機用薬剤放散器１によれば、薬剤保持体２を通過した空気が排出孔３１から排出される際に、上流側で空気案内壁部３２、３３によって空気の流れが曲げられているので乱れることになり、扇風機１００による空気の主流の流れ方向に対して交差する方向に向けて排出されることになる。これにより、扇風機１００によって送風される空気に薬剤が混合しやすくなるので、薬剤を広範囲に効率良く行き渡らせることができる。
【００５９】
また、送風機用薬剤放散器１が薄型であるため使用時に邪魔になりにくい。
【００６０】
（実施形態１の変形例）
図１０に示す実施形態１の変形例では流路形成板部４が省略されている。この変形例では、放散器本体３は、扇風機１００の中央ガード板１０３との間に、扇風機１００によって送風された空気が流れる左側空気流路Ｒ１及び右側空気流路Ｒ２を形成するように構成されている。すなわち、送風機用薬剤放散器１を図１に示すように扇風機１００の中央ガード板１０３の下流側に重なるように取り付けると、放散器本体３と中央ガード板１０３との間に左側空気流路Ｒ１及び右側空気流路Ｒ２が形成される。この変形例では、放散器本体３を中空構造にすることなく、左側空気流路Ｒ１及び右側空気流路Ｒ２を形成できるので、放散器本体３の構成をシンプルにすることができる。
【００６１】
また、放散器本体３は、正面視で正方形や菱形、台形、三角形、五角形等の各種多角形であってもよいし、楕円形や長円形であってもよい。これらの場合も少なくとも一部の縁部が扇風機１００の中央ガード板１０３から外方へ突出するように形成するのが好ましい。
【００６２】
（実施形態２）
図１１〜図１７に基づいて本発明の実施形態２を説明する。実施形態２は、送風機用薬剤放散器１の形状が正面視で円形である点で実施形態１と異なっており、基本的な構造は実施形態１と同じであるため、以下、実施形態１と同じ部分には同じ符号を付して説明を省略し、異なる部分について詳細に説明する。
【００６３】
実施形態２の放散器本体３は円形の板状に形成されており、その外径は扇風機１００の中央ガード板１０３の外径よりも大きく設定されている。そして、放散器本体３の縁部が中央ガード板１０３の縁部から全周に亘って外方へ突出するように形成されている。図１２に示すように、放散器本体３の中央部には略円形の排出孔３１が形成されている。放散器本体３における流路形成板部４側の面には、突条部３８が設けられている。突条部３８は、排出孔３１を囲むように円形に延びている。
【００６４】
図１５に示すように、放散器本体３の外周側には、扇風機１００によって送風された空気の流れを曲げてから薬剤保持体２へ向けるための空気案内壁部３７が全周に亘って形成されている。空気案内壁部３７の縁部は、放散器本体３の縁部から径方向外方へ突出している。空気案内壁部３７の外周部分は、該空気案内壁部３７の外縁部へ近づくほど空気流れ方向上流側に位置するように湾曲形成された湾曲部である。空気案内壁部３７の内周部分は、排出孔３１へ向けて延びる部分であり、この実施形態では略平坦に形成されているが、緩やかに湾曲した形状であってもよい。
【００６５】
図１７に示すように、空気案内壁部３７の外縁部には、扇風機１００の前側ガード１０２の棒材１０４を径方向に挟む一対の挟持片３７ａ、３７ａと挟持片３８ａ、３８ａとが空気流れ方向上流側へ突出するように形成されている。
【００６６】
図１５に示すように、流路形成板部４は、扇風機１００によって送風された空気が流れる空気流路Ｒ３を、放散器本体３との間に形成するためのものである。この流路形成板部４は、放散器本体３の排出孔３１から空気流れ方向上流側に離れて配置されて上下方向に延びている。放散器本体３には、排出孔３１の周りにボス３９が形成されており、このボス３９に流路形成板部４が固定されている。尚、図示しないが、流路形成板部４にボスを形成し、このボスを放散器本体３に固定するようにしてもよい。
【００６７】
また、流路形成板部４も円形であり、この流路形成板部４の縁部と空気案内壁部３７の外縁部との間には、扇風機１００によって送風された空気が流入する隙間が全周に亘って形成されている。
【００６８】
実施形態２に係る送風機用薬剤放散器１を使用する場合には、扇風機１００よって送風された空気が放散器本体３と流路形成板部４の間へ全周から入り、排出孔３１へ向けて流れることになる。これにより、空気が互いに異なる多くの方向から排出孔３１へ向かって流れて衝突するので、空気の流れがより一層乱れる。従って、扇風機１００によって送風される空気に薬剤が混合しやすくなる。
【００６９】
また、送風機用薬剤放散器１は正面視でその大部分が中央ガード板１０３と重複していて周縁部のみが中央ガード板１０３から突出しているので、送風機用薬剤放散器１を設けたことによる扇風機１００の送風量低下は僅かなものであり、使用上は何ら問題がない。
【００７０】
尚、送風機用薬剤放散器１の扇風機１への取付位置は、図１１に示す位置以外にも、例えば、送風機用薬剤放散器１が中央ガード板１０３から外れた位置であってもよい。これにより、中央ガード板１０３と送風機用薬剤放散器１とが重複しないようになる。
【００７１】
（実施形態２の変形例）
図１８に示す実施形態２の変形例では流路形成板部４が省略されている。この変形例では、放散器本体３は、扇風機１００の中央ガード板１０３との間に、扇風機１００によって送風された空気が流れる空気流路Ｒ３を形成するように構成されている。すなわち、送風機用薬剤放散器１を図１１に示すように扇風機１００の中央ガード板１０３の下流側に重なるように取り付けると、放散器本体３と中央ガード板１０３との間に空気流路Ｒ３が形成される。この変形例では、放散器本体３を中空構造にすることなく、空気流路Ｒ３を形成できるので、放散器本体３の構成をシンプルにすることができる。
【００７２】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７３】
以上説明したように、本発明に係る送風機用薬剤放散器は、例えば扇風機やサーキュレータによって送風される空気に薬剤を放散する場合に使用することができる。
【符号の説明】
【００７４】
１              送風機用薬剤放散器
２              薬剤保持体
３              放散器本体
４              流路形成板部
３１            排出孔
３２            左側空気案内壁部（第１空気案内壁部）
３３            右側空気案内壁部（第２空気案内壁部）
３７            空気案内壁部
１００          扇風機（送風機）
１０１          ファン
１０３          中央ガード板
Ｒ１            左側空気流路
Ｒ２            左側空気流路
Ｒ３            空気流路
【図１】
2018051186.tif 000003
【図２】
2018051186.tif 000004
【図３】
2018051186.tif 000005
【図４】
2018051186.tif 000006
【図５】
2018051186.tif 000007
【図６】
2018051186.tif 000008
【図７】
2018051186.tif 000009
【図８】
2018051186.tif 000010
【図９】
2018051186.tif 000011
【図１０】
2018051186.tif 000012
【図１１】
2018051186.tif 000013
【図１２】
2018051186.tif 000014
【図１３】
2018051186.tif 000015
【図１４】
2018051186.tif 000016
【図１５】
2018051186.tif 000017
【図１６】
2018051186.tif 000018
【図１７】
2018051186.tif 000019
【図１８】
2018051186.tif 000020